(57)【特許請求の範囲】
【請求項１】
蓄電池によって供給される電源端子を有する電気装置であって、
当該電気装置は、蓄電池の交換を検知したとき有効信号を提供する検知回路を含んでおり、
前記検知回路は、
コンデンサと、
第１のアクセスと、
第２のアクセスと、
上記第１のアクセスに駆動信号が印加されたとき上記コンデンサを上記電源端子に接続するスイッチング手段であって、第１のトランジスタを備えるスイッチング手段と、
上記コンデンサが充電されたとき上記有効信号を上記第２のアクセスに供給する測定手段であって、第２のトランジスタを備える測定手段と、
によって形成される、ことを特徴とする電気装置。
【請求項２】
上記蓄電池の充電及び／又は放電の状態を決定する充電−放電カウンタと、
上記検知回路の有効出力信号のために上記充電−放電カウンタをリセットする手段と、
を有する請求項１記載の装置。
【請求項３】
上記第１及び第２のアクセスは１つの端子を形成するために結合されることを特徴とする請求項１記載の装置。
【請求項４】
上記端子はマイクロプロセッサ組立体に接続されていることを特徴とする請求項３記載の装置。
【請求項５】
上記第２のアクセスでの信号の第１の読取りを行ない、
上記読取りが正の場合、蓄電池の存在を推測し、
上記読取りが負の場合、パルスを生成し、
上記パルスの後、上記第２のアクセスの第２の読取りを行ない、
上記第２の読取りが正の場合、上記充電−放電カウンタをリセットし、
上記第２の読取りが負の場合、蓄電池の不在を表示する、
ステップを備えることを特徴とする請求項２乃至４のうちいずれか一項記載の装置で実施される方法。
【発明の詳細な説明】
【０００１】
【発明の属する技術分野】
本発明は、蓄電池によって供給される電源端子を有する電気的装置に関する。
本発明は更に蓄電池の非接続を検知する方法に関する。
【０００２】
【従来の技術】
このような装置は周知であり、特に、充電の状態がよく制御されることを必要とする蓄電池によって電力を供給される携帯用電話装置の分野では様々な応用が見られる。
米国特許第５，３４９，２８０号は幾つかの回路のうち蓄電池の保護を意図した回路を開示している。
【０００３】
【発明が解決しようとする課題】
本発明は、蓄電池の充電又は放電の測定がされる装置を提供する。しかしながら、様々な理由でユーザによって蓄電池が交換された場合これらの測定は間違われうる。
【０００４】
【課題を解決するための手段】
従って、本発明によって蓄電池の充電及び／又は放電の状態が良く分かり、蓄電池は考えて充電され得るため、これらの素子のより長い耐用期間を確実にする。
蓄電池が交換されたときその充電及び／又は放電の測定の誤りを回避するために、本発明装置は蓄電池の交換を検知する検知回路を含むことを特徴とする。
【０００５】
【発明の実施の形態】
本発明の上記及び他の面は、以下の実施例の記述を参照にして、明白となろう。
図１中、符号１は本発明による装置を示している。ここで説明されている本例では、符号１はセルラーネットワークによって形成された無線電話システムに属する移動局である。この移動局は電波をセルラー電話タイプＧＳＭ、ＡＭＰＳ及び他のタイプの無線ネットワークの基地局８から受信し又基地局へ送信することを可能にするアンテナ５を有する。移動局１はイヤホン１０、マイクロホン１２、キーパッド１４及び表示画面１７を有する。点線は移動局内に位置する電子部分２０を示す。この部分２０は蓄電池２１又は電力グリッドに接続された電力線２２のうちいずれかによって電力を供給される。この部分は図２により詳細に示される。部分２０は、セルラー電話技術では通常である様々な情報信号を送信又は受信するための送信組立体４０と受信組立体４２とを有する。これら送信及び受信部分は音声処理素子４５を介してマイクロホン１２及びイヤホン１０に夫々接続されている。このような移動局の制御はマイクロプロセッサ組立体５０によって確実に行なわれる。
【０００６】
蓄電池２１の充電の状態をモニターすることは重要である。従って、組立体５０によって制御されている充電／放電カウンタＤＥＣＨは装置が使用されている時間を測定する。装置が始めて使用されるとき、蓄電池の存在がテストされカウンＤＥＣＨは時間をカウントし始める。このカウンタの内容が蓄電池の充電の状態を決定する。移動局のスイッチがオフのときこのカウンタの内容は不揮発記憶装置５２（ＥＰＲＯＭメモリ）に記憶される。この技術では周知であるように組立体５０は出力端子又は入力端子としてプログラムされるＩ／Ｏアクセスを有する。
【０００７】
ここで生じる問題は、配置されていた蓄電池がよく充電された他の蓄電池と交換されたとき、カウンタＤＥＣＨの内容が代替された蓄電池の充電状態ともはや首尾一貫しないことである。この問題を回避するために、本発明は蓄電池の交換を検知する検知器６０を提案する。この検知器は組立体５０の上記アクセスに接続されることを意図した入力／出力アクセス６２と、蓄電池２１の一つの極に接続される入力端子６４とを有する。
【０００８】
蓄電池の交換を検知するこの検知器の実施例を図３に示す。
検知器は、スイッチ回路の動きに近い動きをする二つのトランジスタ７０及び７１を有する。トランジスタ７０のエミッタは蓄電池２１の正極に接続され、そのコレクタは抵抗器７５及び７６によって形成される分圧器を介して接地に接続されている。これら二つの抵抗器の共通点がアクセス６２を形成する。トランジスタ７１のエミッタは抵抗器８０を介して接地に接続される。コレクタは一方でコンデンサ８２を介して蓄電池２１の正極に接続され、他方でトランジスタ７０のベースに接続される。トランジスタ７１のベースはトランジスタ７０のコレクタに接続される。
【０００９】
一例として、抵抗器７５、７６及び８０はすべて１．８Ｍｏｈｍｓのオーダーの値を有し、コンデンサは１ｎＦの値を有する。
このような検知器の作動を図４と共に説明する。この検知器は組立体５０のＩ／Ｏアクセスにより作動する。蓄電池が定位置に置かれＩ／Ｏアクセスが不作動のとき、トランジスタ７１はベースにバイアスを受けず非導通である。結果としてトランジスタ７０はブロックされる。トランジスタ７１のベース上のパルスはトランジスタ７１を導通させる。蓄電池が端子６４に接続された場合、コンデンサ８２は充電され、それによってトランジスタ７０を導通させる。従って、アクセス６２には高いレベルがあり、このアクセスは結果として論理＜＜１＞＞値をとる。蓄電池２１が非接続とされると、コンデンサ８２はトランジスタ７０のベースーエミッタ接合で放電され、結果として端子６４は再び地気電位に接続される。放電されたコンデンサはトランジスタ７０が余りにも早く導通状態となることを回避し、従って蓄電池のコネクタの接触の不良によるマイクロカットオフの望ましくない影響は回避される。
【００１０】
ここで検知器の作動を図４と共に説明する。時点ｔ１は蓄電池２１が非接続とされている間、Ｉ／Ｏアクセスで放出されたパルスの現われるときでありパルスが供給された後Ｉ／Ｏアクセス上の電圧は従って接地レベルにある。時点ｔ２では蓄電池２１は再び作動を開始する。Ｉ／Ｏアクセス上の電圧はパルスが供給されるまでゼロのままである。時点ｔ３でこのパルスが現われるとＩ／Ｏアクセス上の電圧は高値となる。すると、時点ｔ４で蓄電池２１が高いことが可能となる。コンデンサ８２の放電後、Ｉ／Ｏアクセス上の電圧は時点ｔ５で＜＜０＞＞値をとる。
【００１１】
図５のフローチャートは組立体５０と検知器６０との間でどのようにして対話が成されるかを示している。
このフローチャートのボックスＫ１は、装置がオンの状態のときに生じるＩ／Ｏアクセスでの電圧の読取りを示している。ボックスＫ３においてこの値が＜＜１＞＞の場合、ボックスＫ５において蓄電池は交換されていないとみなされる。ボックスＫ７において、カウンタＤＥＣＨの内容は不揮発記憶装置５２に含まれるカウンタＤＥＣＨの値によって初期化される。
【００１２】
ボックスＫ３においてテストが電圧ゼロを示すとき、ボックスＫ１０においてパルスがＩ／Ｏアクセスに供給される。その後、ボックスＫ１２において電圧が読取られる。次にボックスＫ１４においてテストがなされる。電圧が存在する場合、ボックスＫ１５において新しい蓄電池が用いられ、結果としてカウンタＤＥＣＨの内容はボックスＫ１７において再度初期化される。電圧ゼロの場合、ボックスＫ２０において蓄電池は存在しない。このとき装置は主電源２２で作動する。
【００１３】
アクセス６２が二つに分けられうることは注目すべき点である。コンデンサの電極の電圧を直接測定することによってコンデンサの充電状態を読取ることが可能となり、蓄電池へのコンデンサの接続を可能にするパルスは抵抗器７５及び７６の共通接続点に印加される。
【図面の簡単な説明】
【図１】本発明による装置を少なくとも有するシステムを示す図である。
【図２】本発明による装置を示す図である。
【図３】蓄電池の交換の検知器を示す図である。
【図４】本発明の作動を説明するタイミング図である。
【図５】本発明の作動を説明するフローチャートの図である。
【符号の説明】
１  移動局
５  アンテナ
８  基地局
１０  イヤホン
１２  マイクロホン
１５  キーパッド
１７  表示画面
２０  電子部分
２１  蓄電池
２２  電力線
４０  送信組立体
４２  受信組立体
４５  音声処理素子
５０  マイクロプロセッサ組立体
５２  不揮発記憶装置
６０  検知器
６２  入力／出力アクセス
６４  入力端子
７０、７１  トランジスタ
７５、７６、８０  抵抗器
８２  コンデンサ
【図１】
0004141607.tif 000002
【図２】
0004141607.tif 000003
【図３】
0004141607.tif 000004
【図４】
0004141607.tif 000005
【図５】
0004141607.tif 000006